(57)【要約】【課題】製造が容易であって、被包装物の制約も少ないブリスター容器を提供する。【解決手段】シート体からなる台紙２と、被包装物を収容可能な収容部１０を有するブリスターカバー１とを備えたブリスター容器において、ブリスターカバー１にはフランジ部１３が左右一対形成され、台紙２には、前後一対のシート体から構成されてその間にブリスターカバー１のフランジ部１３が差し込まれてスライド可能なスライドレール部７が左右一対形成され、台紙２の下部には自立用底部９が形成されている。【選択図】図１
2014133585.tif 000002
【特許請求の範囲】
【請求項１】
シート体からなる台紙と、被包装物を収容可能な収容部を有するブリスターカバーとを備えたブリスター容器において、
ブリスターカバーにはフランジ部が左右一対形成され、
台紙には、前後一対のシート体から構成されてその間にブリスターカバーのフランジ部が差し込まれてスライド可能なスライドレール部が左右一対形成され、台紙の下部には自立用底部が形成されていることを特徴とするブリスター容器。
【請求項２】
台紙は、ブリスターカバーの後側を覆うように位置する本体片部と、該本体片部の左右両側部所定領域と共にスライドレール部を構成すべく本体片部の前側に重なり合うように位置する所定幅の左右一対のレール片部と、両レール片部の下端同士を連結するように該両下端に折り曲げ線を介して連設されて前側に折り曲げられた下連結片部とを備え、
スライドレール部の下端からブリスターカバーを差し込むことができるように、下連結片部にはブリスターカバーの収容部が挿通可能な挿通用開口部が形成されている請求項１記載のブリスター容器。
【請求項３】
下連結片部が自立用底部の一部を構成している請求項２記載のブリスター容器。
【請求項４】
自立用底部は横方向の軸線を有する三角形状の筒体であって、下連結片部は自立用底部の周側面の一面を構成すべくレール片部の下端から斜め前方に傾斜している請求項３記載のブリスター容器。
【請求項５】
挿通用開口部の開口縁部の一部がブリスターカバーの収容部の下側に位置することにより、下連結片部がブリスターカバーの収容部を下側から支持可能に構成されている請求項４記載のブリスター容器。
【請求項６】
台紙は、両レール片部の上端同士を連結すべく両レール片部の上側に延設された上連結片部を備えている請求項２乃至５の何れかに記載のブリスター容器。
【請求項７】
ブリスターカバーは、収容部の開口部を閉塞する裏蓋を備えている請求項１乃至６の何れかに記載のブリスター容器。
【発明の詳細な説明】
【技術分野】
【０００１】
本発明は、台紙とブリスターカバーとを有するブリスター容器に関する。
【背景技術】
【０００２】
この種のブリスター容器は一般的には吊り下げられて陳列されるが、自立状態で陳列させたい場合もある。下記特許文献１では、台紙を構成する前後一対のシート体によってブリスターカバーを挟み込んで保持する構成とし、その台紙の下部を前後二股状に分岐させて脚部を形成して自立可能としている。しかしながら、ブリスターカバーを前後一対のシート体で挟み込みつつ、その前後一対のシート体同士を接着する必要があり、組み立て作業が困難である。
【０００３】
一方、下記特許文献２では、台紙の前面に接着したブリスターカバーの収容部の下部に接地部を形成して自立可能とする構成が提案されている。しかしながら、ブリスターカバーの収容部の下部にこのような接地部を設けて自立可能とする構成ではブリスターカバーの収容部の形状が複雑なものとなってその形状にも制約が生じるのみならず、内部に収容する被包装物である商品にも制約が生じることになる。
【０００４】
また、下記特許文献３では、いわゆるスライドブリスターにおいてブリスターカバーの下部に接地突部を形成して自立可能とする構成が提案されている。このようなスライドブリスターは、ブリスターカバーの左右両側部をそれぞれ後側に折り返して形成したスライドレール部に台紙を差し込めばよいので組み立て作業が容易であるという利点がある。しかしながら、この場合にも同様にブリスターカバーの収容部の下部に接地突部を形成しているので、ブリスターカバーの収容部の形状が複雑になってその形状にも制約が生じ、内部に収容する被包装物にも制約が生じることになる。しかも、ブリスターカバーの左右両側部をそれぞれ後側に折り返してスライドレール部を形成しているので、プラスチックシートのシート成形工程のみならず折り曲げ工程が必要となり、ブリスターカバーの製造が複雑になるという問題がある。
【０００５】
更に、下記特許文献４では、同様にスライドブリスターにおいて、ブリスターカバーではなく台紙の下部を折り曲げて自立可能とする構成が提案されている。しかしながら、この場合もブリスターカバーの左右両側部をそれぞれ後側に折り返してスライドレール部を形成しているので、プラスチックシートのシート成形工程の他に折り曲げ工程が必要となり、ブリスターカバーの製造が複雑になる。
【先行技術文献】
【特許文献】
【０００６】
【特許文献１】実用新案登録第３０７０３３８号公報
【特許文献２】特開２００５−１３８８４７号公報
【特許文献３】実開平４−８０８５８号公報
【特許文献４】実公昭６２−２３７２１号公報
【発明の概要】
【発明が解決しようとする課題】
【０００７】
それゆえに本発明は上記従来の問題点に鑑みてなされ、製造が容易であって、被包装物の制約も少ないブリスター容器を提供することを課題とする。
【課題を解決するための手段】
【０００８】
本発明は、上記課題を解決すべくなされたものであって、本発明に係るブリスター容器は、シート体からなる台紙と、被包装物を収容可能な収容部を有するブリスターカバーとを備えたブリスター容器において、ブリスターカバーにはフランジ部が左右一対形成され、台紙には、前後一対のシート体から構成されてその間にブリスターカバーのフランジ部が差し込まれてスライド可能なスライドレール部が左右一対形成され、台紙の下部には自立用底部が形成されていることを特徴とする。
【０００９】
該構成のブリスター容器にあっては、台紙にスライドレール部と自立用底部が形成されているのでブリスターカバーにはそれらを設ける必要がなく、従って、ブリスターカバーを容易に製造することができる。そして、台紙のスライドレール部にブリスターカバーのフランジ部を差し込み、台紙に対してブリスターカバーをスライドさせるようにして両者を容易に合体させることができる。また、台紙の自立用底部によってブリスター容器を自立させて店頭等において陳列させることができる。
【００１０】
特に、台紙は、ブリスターカバーの後側を覆うように位置する本体片部と、該本体片部の左右両側部所定領域と共にスライドレール部を構成すべく本体片部の前側に重なり合うように位置する所定幅の左右一対のレール片部と、両レール片部の下端同士を連結するように該両下端に折り曲げ線を介して連設されて前側に折り曲げられた下連結片部とを備え、スライドレール部の下端からブリスターカバーを差し込むことができるように、下連結片部にはブリスターカバーの収容部が挿通可能な挿通用開口部が形成されていることが好ましい。該構成においては、台紙が本体片部を備えているので、台紙の強度を容易に確保することができ、台紙の形状が安定する。また、両レール片部の下端同士が下連結片部によって連結されてその下連結片部が両レール片部の下端において前側に折り曲げられているので、スライドレール部の下端がしっかりと安定する。そして、そのスライドレール部の下端を差し込み口としてブリスターカバーのフランジ部を上側に向けて差し込むのであるが、下連結片部には挿通用開口部が形成されているので、その挿通用開口部にブリスターカバーの収容部を挿通させることができる。
【００１１】
更に、下連結片部が自立用底部の一部を構成していることが好ましく、効率良く自立用底部を形成することができる。
【００１２】
また更に、自立用底部は横方向の軸線を有する三角形状の筒体であって、下連結片部は自立用底部の周側面の一面を構成すべくレール片部の下端から斜め前方に傾斜していることが好ましい。自立用底部を例えば横方向の軸線を有する四角形状の筒体（縦断面視矩形状）とすることもできるが、自立用底部を横方向の軸線を有する三角形状の筒体（縦断面視三角形状）とすることにより自立用底部が変形しにくくなって形状が安定し、ブリスター容器を安定して自立させることができる。
【００１３】
また更に、挿通用開口部の開口縁部の一部がブリスターカバーの収容部の下側に位置することにより、下連結片部がブリスターカバーの収容部を下側から支持可能に構成されていることが好ましい。該構成においては、ブリスターカバーが仮に下方に大きくスライドしようとしても下連結片部がブリスターカバーを下側から支持するので、台紙に対するスライドカバーの上下方向の位置が安定する。
【００１４】
また、台紙は、両レール片部の上端同士を連結すべく両レール片部の上側に延設された上連結片部を備えていることが好ましい。該構成においては、両レール片部と上連結片部とが一体的に形成されて門型形状となるので、両レール片部の上端が上連結片部によって安定することになる。また、ブリスターカバーを上側に向けてスライドさせていく際に上連結片部をそのストッパーとして機能させることもできる。更に、上連結片部によって台紙の上部の見栄えが良くなるうえに、本体片部と上連結片部によって台紙の上部が二重構造となるので、特に台紙の上部に吊り下げ孔を形成して吊り下げる場合においてブリスター容器が安定することになる。
【００１５】
また、ブリスターカバーは、収容部の開口部を閉塞する裏蓋を備えていることが好ましい。該構成においては、台紙からブリスターカバーを取り外した後において、そのブリスターカバーをそのままケースとして使用することもできる。
【発明の効果】
【００１６】
以上のように本発明に係るブリスター容器にあっては、台紙にスライドレール部と自立用底部が形成されているのでブリスターカバーの製造が容易であり、また、ブリスターカバーの収容部の形状に制約が少なくなるので、種々の被包装物を容易に収容することができる。
【図面の簡単な説明】
【００１７】
【図１】本発明の一実施形態におけるブリスター容器を示す斜視図。
【図２】同ブリスター容器の正面図。
【図３】図２のＰ−Ｐ線断面図。
【図４】図２のＱ−Ｑ線断面図。
【図５】同ブリスター容器の台紙の展開図。
【図６】同ブリスター容器の台紙の正面図。
【図７】同ブリスター容器においてブリスターカバーを装着する際の台紙の状態を示す底面図。
【図８】同ブリスター容器におけるブリスターカバーを示す斜視図。
【図９】本発明の他の実施形態におけるブリスター容器の台紙の展開図。
【図１０】同ブリスター容器の図４に相当する拡大断面図。
【発明を実施するための形態】
【００１８】
以下、本発明の一実施形態に係るブリスター容器について図１〜図８を参酌しつつ説明する。本実施形態におけるブリスター容器は、各種の被包装物を包装して店頭にて陳列、展示することに適したものであり、前方から被包装物を見えやすくしつつ包装するためのブリスターカバー１と、該ブリスターカバー１を支持する台紙２とから構成されている。
【００１９】
ブリスターカバー１は、図４及び図８に詳細に示すように、被包装物を収容可能な収容部１０を有するカバー本体１１と、該カバー本体１１の後側を覆う裏蓋１５とを備えている。収容部１０は、後方に開口する開口部を有するように前側に膨出形成されており、被包装物の形状等に合わせて種々の形状とすることが可能であるが、本実施形態では直方体形状であり、より詳細には縦長の直方体形状である。従って、収容部１０の開口部は矩形、具体的には縦長の長方形であり、その開口縁部は四つの辺から構成されているが、そのうち上辺と左右両側辺の合計三辺にはそれぞれフランジ部１２，１３が形成されている。但し、収容部１０の開口縁部の下辺にもフランジ部を設けてもよい。裏蓋１５は、カバー本体１１と正面視において同一サイズであって、収容部１０の開口部を閉塞すると共にフランジ部１２，１３に重なり合う程度の大きさを有している。該裏蓋１５はカバー本体１１と別部材の別体構成であってもよいが、本実施形態ではカバー本体１１と一体的に形成されている。裏蓋１５は収容部１０の開口縁部の下辺から下側に延設されて、収容部１０の開口縁部の下辺を折り曲げ線として後方且つ上方に折り返されてカバー本体１１の後側に重ね合わせられている。
【００２０】
カバー本体１１を構成するプラスチックシートには種々のものが使用可能であり、例えば、ポリプロピレン、ポリエチレン等のポリオレフィン系、ポリエチレンテレフタレート、ポリブチレンテレフタレート等のポリエステル系、ポリスチレン系、ポリアミド系等からなるシートが使用できる。特に、被包装物を外部から視認できる程度の透明性と適度な剛性を有するポリオレフィン系及びポリエステル系のシートが好ましく、透明性に優れたポリプロピレン製シート及びポリエチレンテレフタレート製シートがより好ましい。特に、ポリエチレンテレフタレート製シートは比較的剛性が高く、シート厚みを低減しても適度な剛性を維持できて保形性に優れているため好ましい。更に、このようなプラスチックシートに印刷を施したものも使用可能である。尚、プラスチックシートの厚さは、０．１ｍｍ〜１．０ｍｍ程度が好ましく、特に０．２ｍｍ〜０．６ｍｍ程度がより好ましい。スライドカバー１を台紙２の内側にスライドさせる構成であるので、通常のブリスター容器やスライドブリスターのようにスライドカバー１が完全に外部に露出している構成に比して、スライドカバー１を構成するプラスチックシートを薄肉とすることができる。かかるプラスチックシートをシート成形することによって収容部１０を形成し、所定形状に裁断してカバー本体１１と裏蓋１５が一体となったブリスターカバー１を形成する。また、収容部１０の開口縁部の下辺の折り曲げ線には種々の折り曲げ罫線を使用できる。
【００２１】
台紙２は、図５に示すような展開形状の一枚のシート体からなる。該台紙２は、図５において向かって右側に位置する前側シート３と、同じく向かって左側に位置する後側シート４とからなる。後側シート４は前側シート３の左側に縦方向の折り曲げ線５を介して連設されていて前側シート３と後側シート４は互いに同一幅であり、該折り曲げ線５で後側シート４を後側に折り返して前側シート３の後側に重ね合わせて周縁部所定領域を接着することにより、図６に示すような組み立て前の扁平状態の台紙２となる。
【００２２】
台紙２は全体として縦長の長方形状であり、前側シート３は、左右一対のレール片部３０と、上連結片部３１と、下連結片部３２と、底面部３３と、折り返し片部３４とからなり、後側シート４は本体片部４０と差込片部４１とからなる。前側シート３の中央部にはブリスターカバー１の収容部１０を前側に突出させるためのカバー露出用孔６が形成されており、該カバー露出用孔６の周囲に左右一対のレール片部３０と上連結片部３１と下連結片部３２が位置している。レール片部３０は、前側シート３の側部所定領域からなり、所定幅を有して上下方向に延びていて本体片部４０の前側に重なり合うようにして位置して本体片部４０の左右両側部所定領域と共にスライドレール部７を構成している。即ち、台紙２には、ブリスターカバー１の左右一対のフランジ部１３及び裏蓋１５の両側部が差し込まれて上下方向にスライド移動可能となるスライドレール部７が左右一対形成されており、両スライドレール部７は互いに平行であってそれぞれ内側が開状態にあり外側は閉状態にある。
【００２３】
左右一対のレール片部３０の上端同士を上連結片部３１が連結している。左右一対のレール片部３０と上連結片部３１は一体となって門型（コの字状）となっており、それぞれの外側所定部分において本体片部４０に接着されて門型の二重構造の部分が形成されているが内側所定部分については本体片部４０には接着されていない。従って、上連結片部３１の下部領域と本体片部４０との間には、ブリスターカバー１の上側のフランジ部１２及び裏蓋１５の上端部が差し込み可能である。尚、上連結片部３１と本体片部４０を貫通するように吊り下げ孔８が形成されている。
【００２４】
下連結片部３２は、両レール片部３０の下端同士を連結している。両レール片部３０の下端には横方向の折り曲げ線２０が形成され、該折り曲げ線２０を介して下連結片部３２が連設されている。尚、カバー露出用孔６のうちレール片部３０の下端よりも下側の領域は、後述する挿通用開口部３５となる。
【００２５】
下連結片部３２には横方向の折り曲げ線２１を介して底面部３３が連設され、該底面部３３には横方向の折り曲げ線２２を介して折り返し片部３４が連設されている。尚、下連結片部３２と底面部３３との間には左右一対の脚用小突片３６が形成されている。下連結片部３２と底面部３３との間の脚用小突片３６は下連結片部３２の一部を底面部３３側に延長するようにして形成されている。同様に、底面部３３と折り返し片部３４との間にも脚用小突片３７が左右一対ずつ形成されており、該脚用小突片３７は折り返し片部３４の一部を底面部３３側に延長するようにして形成されている。また、底面部３３と折り返し片部３４との間には、折り返し片部３４を底面部３３に対して折り曲げることによって差込孔３８が形成されるように孔用小突片３９が形成されている。該孔用小突片３９は底面部３３の一部を折り返し片部３４側に延長するようにして形成されている。また、後側シート４の本体片部４０の下端中央部には横方向の折り曲げ線２３を介して差込片部４１が突設されており、上記差込孔３８に差込片部４１を差し込むことができる。
【００２６】
台紙２を構成するシート体は特には限定されないが、例えば各種の樹脂製シートや紙材をシート基材とするシートを用いることができる。シート基材が紙材である場合、例えば、紙のみからなる厚紙や、紙製シートに各種樹脂をコーティングしたり樹脂製シートや蒸着シートを張り合わせたりした合成紙等が一例として挙げられ、その厚さは、例えば０．２〜２ｍｍ程度、特に０．５〜１．５ｍｍ程度が好ましい。また、台紙２に形成した折り曲げ線５，２０，２１，２２，２３には、押し罫線やミシン目等、各種の折り曲げ罫線が使用できる。
【００２７】
台紙２は以上のような構成からなり、ブリスターカバー１を装着する組み立て時には、図７のように下連結片部３２をレール片部３０に対して略直角になるように折り曲げる。図３にもその状態の下連結片部３２を二点鎖線で示している。このように下連結片部３２を折り曲げると、下連結片部３２と本体片部４０との間には、カバー露出用孔６の下側領域からなる挿通用開口部３５が形成される。スライドレール部７はその下端が開状態にあるので、図４のように、そのスライドレール部７の下端から、ブリスターカバー１の左右のフランジ部１３と裏蓋１５の左右両側部とを差し込んでいく。その際、ブリスターカバー１の収容部１０は挿通用開口部３５を通ることができる。そして、図１乃至図３に示すように、ブリスターカバー１の上側のフランジ部１２と裏蓋１５の上端部が上連結片部３１と本体片部４０との間に差し込まれる。尚、上連結片部３１にブリスターカバー１の収容部１０が当接するとそれ以上ブリスターカバー１を上側にスライドさせることが不可能になる。
【００２８】
また、台紙２の下部から自立用底部９を形成する。即ち、図３に矢印Ａで示すように下連結片部３２を二点鎖線で示した状態から実線で示す斜め下方の状態まで回動させ、底面部３３を後側に折り曲げ、折り返し片部３４を上側に折り曲げて本体片部４０の下部の内側に重ねるようにし、差込片部４１を前側に折り曲げて差込孔３８に差し込む。自立状態において、本体片部４０は載置面に対して略垂直な状態にあり、底面部３３は略水平な状態にあり、下連結片部３２は、下側に向かう程、本体片部４０から前方に離間していく傾斜状態にある。即ち、自立用底部９は、下連結片部３２と底面部３３と本体片部４０の下部とから縦断面視あるいは側面視において底面部３３を底辺とする下広がりの三角形状であり、下連結片部３２は自立用底部９の三角形状の一辺（周側面の一面）を構成すべくレール片部３０の下端から斜め前方に傾斜した傾斜面となる。換言すれば、自立用底部９は、横方向の軸線を有する三角形状の筒体である。尚、本体片部４０と下連結片部３２及び底面部３３は同じ横幅寸法を有しており、ブリスター容器は自立用底部９の左右両開口端面によって三角形状の仮想的な側面を有することになる。
【００２９】
図１及び図３に示すような組立状態においては挿通用開口部３５の開口縁部のうち下部領域３５ａが収容部１０の下側に位置することになる。従って、組立状態において下連結片部３２がブリスターカバー１の収容部１０を下側から支持可能である。尚、ブリスターカバー１の収容部１０が挿通用開口部３５の開口縁部の下部領域３５ａに当接していてもよいし上方に離れていてもよい。但し、ブリスターカバー１は台紙２には接着されていないため、組み立て後にブリスターカバー１の収容部１０が挿通用開口部３５の開口縁部の下部領域３５ａに対して上方に離れていても、輸送時等の振動等によってブリスターカバー１が下方に移動することもあり、そのような場合において下連結片部３２がブリスターカバー１の収容部１０を下側から支持することになってそれ以上下方へのブリスターカバー１の移動が阻止される。
【００３０】
また、底面部３３を下連結片部３２に対して後側に折り曲げることで、下連結片部３２の下端から脚用小突片３６が斜め下方に突出する。また、折り返し片部３４を底面部３３に対して上側に折り曲げることで、折り返し片部３４の下端から脚用小突片３７が下方に突出する。即ち、合計四つの脚用小突片３６，３７が底面部３３から下方に突出することになり、これらの脚用小突片３６，３７によって、ブリスター容器を載置面に載置した際に底面部３３はその載置面から僅かに上方に浮いた状態となって、より一層安定した自立状態が得られる。
【００３１】
以上のように構成されたブリスター容器にあっては、上連結片部３１及び左右一対のレール片部３０と本体片部４０との間に上側のフランジ部１２及び左右一対のフランジ部１３が挟み込まれた状態にあり、それらのフランジ部１２，１３の大部分は前側シート３と後側シート４の間に隠れた状態にあり、特に台紙２を不透明なシート体から構成した場合にはそれらが見えない。そして、両レール片部３０間からブリスターカバー１の収容部１０が前方に突出しているので、収容部１０並びに被包装物が前方から目立ちやすい。また、台紙２は、その上部と両側部の大部分が二枚重ねの構造となっているので、十分な強度が確保でき、しかも、本体片部４０がブリスターカバー１の後側を覆っているので、台紙２の全体的な強度も容易に確保することができる。
【００３２】
また、台紙２に自立用底部９が設けられているので、その自立用底部９によって安定した自立姿勢が得られる。特に、自立用底部９が縦断面視三角形状であるので形状安定性にも優れており、下連結片部３２と底面部３３と本体片部４０の下部が何れも互いに突っ張りとして機能して形状の安定化に寄与する。しかも、台紙２の下部に自立用底部９が存在することによって台紙２が簡易的なケースのようにも見え、ブリスターカバー１と共に立体感な包まれ感を演出することができる。そして、台紙２に自立用底部９を形成しているので、ブリスターカバー１の形状には制約が少なく、ブリスターカバー１をシート成形によって容易に製造することができるうえに、ブリスターカバー１の収容部１０をブリスター容器のほぼ中央に位置させることもできる。また、本体片部４０と下連結片部３２が同じ横幅であり、更には底面部３３も同じ横幅となっているので、この自立用底部９の左右両開口端面によって三角形状の仮想的な側面が形成される。従って、ブリスター容器を前後方向に並べて載置して陳列する際に、ブリスター容器が正面に対して斜めを向いた状態になりにくく、正面を向いた正規の姿勢で整列させやすくなり、見栄え良く陳列することができる。
【００３３】
一方、組み立て作業も容易である。即ち、台紙２にスライドレール部７が設けられているので、そのスライドレール部７にブリスターカバー１を差し込んでスライドさせればよく、組み立て作業が容易である。また、両レール片部３０の下端同士が下連結片部３２によって連結されているうえに、その下連結片部３２が両レール片部３０の下端において前側に折り曲げられているので、スライドレール部７の下端がしっかりと安定し、そのスライドレール部７の下端からブリスターカバー１をスムーズに差し込むことができる。そして、下連結片部３２には挿通用開口部３５が形成されているので、その挿通用開口部３５からブリスターカバー１の収容部１０を上方に向けて挿通させることができる。しかも、下連結片部３２が自立用底部９の一部を構成する構造であるため、台紙２の構造が必要以上に複雑になることも防止され、効率良く自立用底部９を形成することができる。
【００３４】
また、両レール片部３０の上端同士が上連結片部３１によって連結一体化されているので、両レール片部３０の上端も上連結片部３１によって安定するうえに、ブリスターカバー１を上側に向けてスライドさせていく際に上連結片部３１がストッパーとしても機能する。更には、上連結片部３１によって台紙２の上部の見栄えが良くなるうえに、本体片部４０と上連結片部３１によって台紙２の上部が二枚重ねの構造となるので、吊り下げ孔８でブリスター容器を吊り下げる場合においてもブリスター容器が安定する。
【００３５】
尚、ブリスター容器を開封する際には、差込孔３８から差込片部４１を後方に抜き、ブリスターカバー１を図３の二点鎖線のように若干上方に押し上げつつ、折り返し片部３４と底面部３３と共に下連結片部３２を図３の矢印Ｂで示すように両レール片部３０の下端を支点として上方に回動させ、しかる後に、ブリスターカバー１を下方に引き抜くようにする。このようにブリスターカバー１は台紙２には接着されていないので容易に台紙２から分離させることができる。そして、ブリスターカバー１が裏蓋１５を備えているので、台紙２から取り外した後においてもブリスターカバー１をそのままケースとして使用して持ち運んだりすることもできる。
【００３６】
尚、図９及び図１０のように、下連結片部３２の挿通用開口部３５の開口縁部の下部領域３５ａにその下部領域３５ａを支点として水平方向の軸線まわりに前後乃至上下に回動可能な回動片５０を設けてもよい。挿通用開口部３５の開口縁部の下部領域３５ａには折り曲げ線５１が形成され、該折り曲げ線５１によって回動片５０は前側に折り曲げられるようにして回動できる。該回動片５０は、図９に示すような展開状態やブリスターカバー１を装着していない組み立て前の状態においては、下連結片部３２に対して折り曲げられておらず、挿通用開口部３５を部分的に塞ぐような状態となっているが、ブリスターカバー１を装着する際にはその収容部１０によって押されて図１０に矢印Ｃ及び二点鎖線で示すように折れ曲がり、それによって収容部１０が通過できる。そして、その後、図１０に実線で示しているような組み立て完了状態になると、回動片５０は前方に向かって略水平に延びた姿勢となって収容部１０を下側から支持可能な状態となる。このように挿通用開口部３５の開口縁部に回動片５０を設けることにより、組み立て時における挿通用開口部３５の開口面積を確保しつつ、下側から収容部１０をより一層安定して支持することができる。尚、回動片５０は、折り曲げ線５１によって後側即ち本体片部４０側に折り曲げられていてもよい。
【００３７】
尚、上記実施形態では、両レール片部３０の上端同士を上連結片部３１で連結する構成であったが、上連結片部３１を省略してもよい。上連結片部３１を省略する場合には、例えば、両レール片部３０の上端を本体片部４０に接着して閉状態とすることも好ましい。また、ブリスターカバー１の上方への過度の移動を阻止するためのストッパーを本体片部４０に形成するようにしてもよい。
【００３８】
また、スライドレール部７の下端ではなく上端からブリスターカバー１を下方に向けて差し込む構成としてもよい。
【００３９】
更に、スライドレール部７の構成についても設計変更可能であって、上記実施形態では本体片部４０の左右両側部所定領域からスライドレール部７を構成したが、後側シート４にも前側シート３と同様に所定幅のレール片部を設けてもよい。
【００４０】
尚、自立用底部９を縦断面視三角形状としたが、例えば縦断面視矩形としてもよく、何れにしても筒体の構造とすることにより強度を容易に確保できる。但し、自立用底部９が縦断面視矩形の場合にはその角度が変化して形崩れしやすいため、その形状変化を阻止するための構造を設けることが好ましい。尚、自立用底部９を筒状以外の形状、構造としてもよく、自立可能な構成であればよい。
【００４１】
また、前側シート３と後側シート４が左右に連結された構成であったが、上下に連結された構成としてもよく、更には、前側シート３と後側シート４とを別体構成として貼り合わせるようにしてもよい。また、後側シート４に底面部３３と折り返し片部３４とを設け、前側シート３に差込片部４１を設けるようにしてもよい。即ち、本体片部４０に底面部３３と折り返し片部３４を順に連設し、下連結片部３２には差込片部４１を連設するようにしてもよい。但し、差込孔３８が後方に形成されるようにすることが外観上好ましいことから、下連結片部３２と底面部３３との間で前側シート３と後側シート４を互いに連結するよりも、本体片部４０と底面部３３との間で連結するようにする方が好ましい。
【００４２】
尚、上述したようにブリスターカバー１の形状は任意であって被包装物の形状等に合わせて種々設計変更すればよく、裏蓋１５を省略してもよい。また、ブリスターカバー１のフランジ部１２，１３に別途ヒートシール等の接着手段によって蓋材を取り付けた構成としてもよい。
【符号の説明】
【００４３】
１    ブリスターカバー
２    台紙
３    前側シート
４    後側シート
５    折り曲げ線
６    カバー露出用孔
７    スライドレール部
８    吊り下げ孔
９    自立用底部
１０    収容部
１１    カバー本体
１２    上側のフランジ部
１３    左右のフランジ部
１５    裏蓋
２０    折り曲げ線
２１    折り曲げ線
２２    折り曲げ線
２３    折り曲げ線
３０    レール片部
３１    上連結片部
３２    下連結片部
３３    底面部
３４    折り返し片部
３５    挿通用開口部
３５ａ  下部領域
３６    脚用小突片
３７    脚用小突片
３８    差込孔
３９    孔用小突片
４０    本体片部
４１    差込片部
５０    回動片
５１    折り曲げ線
【図１】
2014133585.tif 000003
【図２】
2014133585.tif 000004
【図３】
2014133585.tif 000005
【図４】
2014133585.tif 000006
【図５】
2014133585.tif 000007
【図６】
2014133585.tif 000008
【図７】
2014133585.tif 000009
【図８】
2014133585.tif 000010
【図９】
2014133585.tif 000011
【図１０】
2014133585.tif 000012